(57)【要約】
【課題】　建築物の基礎立上り部の換気口用開口部に簡単に取り付け可能であり、かつ虫等の侵入を防ぎ、しかも必要なときに容易に蓋体を被せたり取り外したりすることができること。
【解決手段】　パンチングメタル２ｅを背面に嵌め込んだグレーチング２ｄで構成した換気口本体２と、換気口本体２の上部から平板状に立ち上げた上部取付部２ａと、換気口本体２の下部から平板状に垂下する下部取付部２ｂと、上部取付部２ａの前面側に設けた上端係止部３と、下部取付部２ｂの前面側に設けた下端係止部４と、換気口本体２に被せる蓋体５であって、上端係止部３と下端係止部４とで着脱自在に支持される蓋体５とで構成した。
【選択図】　図１
0003099179.tif 000002
【実用新案登録請求の範囲】
【請求項１】
　表裏貫通する複数の通気口を備えた換気口本体と、
　該換気口本体の背面に配したパンチングメタルと、
　前記換気口本体の上端から平板状に立ち上がる上部取付部であって、土台の下部に当接して固定する上部取付部と、
　前記換気口本体の下端から平板状に垂下する下部取付部であって、基礎の立上り部の位置に切欠状に開口した換気口用開口部の底面上に固定する下部取付部と、
　前記上部取付部の前面上部に配したスペーサ及びその前面から垂下した鍔板で構成した上端係止部であって、該鍔板と該上部取付部との間の空間で前記換気口本体の前面を覆う蓋体の上端を係止する上端係止部と、
　前記下部取付部の前面下部に配したスペーサ及びその前面から立ち上げた係止片で構成した下端係止部であって、該係止片とスペーサと該下部取付部との間の空間で前記換気口本体の前面を覆う蓋体の下端を係止する下端係止部と、
　前記換気口本体の前面に配する蓋体であって、前記上端係止部と前記下端係止部とでその上下端を着脱自在に配した蓋体と、
で構成した床下換気口。
【請求項２】
　前記換気口本体を縦横に通気口を開口する格子部材で構成した請求項１の床下換気口。
【考案の詳細な説明】
【技術分野】
【０００１】
　本考案は、家屋等の床下の換気を行なうため、建物基礎の立上り部の位置に切欠状に開口した換気口用開口部に設置する床下換気口に関するものである。
【背景技術】
【０００２】
　家屋等の建築物には、床下の換気を行なって家屋内の湿度を調節し、かびの発生や建材の腐食を抑えるための床下換気口が設けられている。この床下換気口は、建物の基礎立上り部の所定の箇所を切欠状に開口して構成している。最も簡単なものは、その開口部に複数の金属棒が定間隔で立設されており、小動物等が床下に入り込んだりしないようになっている。金属棒の間隔はそれほど狭くはないので、種々の虫類などは自由に出入り可能である。
【０００３】
　このような床下換気口に関して、以下に示すような技術が開示されている。
【０００４】
　即ち、特許文献１には、従来の床下換気口用枠は、仮止め時の床下換気口用枠の固定が不安定であるために、モルタルを塗って仕上げるときに、鏝が接触したりモルタルの圧力によって床下換気口用枠がずれたり外れることがあり、このため床下換気口用枠の仮止め及びモルタル塗りの各作業には慎重を要すること、また床下換気口用枠のモルタルによる固定は外側面だけでは不十分で、内側面にも同様にモルタルを塗って仕上げる必要があること、それ故、作業に手間がかかり、施工の「能率が悪い」という課題が示され、これを解決するものとして、「通気部を有する枠本体と、この枠本体の上部に設けられた固定用突起と、前記枠本体の下部に設けられ、前記枠本体の下部から下方への突起長が調整可能である突張り体を有する突張り調整具と、を備えた、床下換気口用枠」が開示されている。
【０００５】
　そして「固定用枠の形状は、先部が先鋭な形状であるのが望ましいが、土台への固定ができれば、それに限定しない。突張り調整具としては、例えば、ネジを利用して突張り体を無段階に突出させるようにしたもの、バネ等の付勢体を利用して突張り体を突出させるようにしたもの等であるが、それに限定しない」ことが開示されている。
【０００６】
　従ってこの特許文献１の床下換気口によれば、床下の換気を行なうことは可能であるが、以下に示す点が懸念される。
(1)換気用の窓しかないため、換気はできるが虫等が入り込む心配がある。
(2)蓋が無いため、必要なとき換気口に蓋を被せることはできない。
(3)枠本体の上部に設けられた固定用突起と、前記枠本体の下部に突起長が調整可能である突張り体を有する突張り調整具とを備えており、前記固定用突起を建物土台に打ち込み、下部の突張り調整具を含む下部全体をモルタルで固定するが、突張り調整具のために固定用のモルタルが均し難い虞がある。
【０００７】
　また特許文献２には、「防虫網材の取り付け及び取り外し作業を簡単で短時間に行うことができ、しかも防虫網材を強固に取り付けることを可能とした防虫網材付床下換気口を提供すること」を目的に、「建築物等の床下基礎部に形成した開口部に、複数の格子を設け、該格子間を換気口とし、該換気口に防虫網材を取り付けている防虫網材付床下換気口において、前記換気口と面接した前記防虫網材に、前記格子と相合した複数の係合孔を設け、前記格子を被覆する被覆部と、前記係合孔に挿入し、前記被覆部との間に係合溝を形成する突起部とからなり、前記係合溝に前記防虫網材を嵌め込むことによって前記格子と前記防虫網材とを密着、固定する取付具を備えていることを特徴とする防虫網材付床下換気口」が開示されている。
【０００８】
　この特許文献２の防虫網材付床下換気口によれば、換気を行ない虫等の混入を防ぐことが可能であるが、蓋が無いため、必要なとき蓋を換気口に被せることができない。また被覆部が長期間の使用によって錆付いて取外すことが不可能となる虞がある。被覆部の取外しが不可能となれば、防虫網材の交換等も不可能となり、多くの不具合が予想されることになる。
【０００９】
【特許文献１】特許第２５５１９１４号公報
【特許文献２】特許第２８９２２１９号公報
【考案の開示】
【考案が解決しようとする課題】
【００１０】
　本考案は、以上のような従来技術の問題点を解決し、建築物の基礎立上り部の換気口用開口部に簡単に取り付け可能であり、かつ虫等の小生物の侵入を防ぎ、しかも必要なときに容易に蓋体を換気口に被せたり取り外したりすることができる床下換気口を提供することを解決の課題とする。
【課題を解決するための手段】
【００１１】
　本考案の１は、表裏貫通する複数の通気口を備えた換気口本体と、該換気口本体の背面に配したパンチングメタルと、前記換気口本体の上端から平板状に立ち上がる上部取付部であって、土台の下部に当接して固定する上部取付部と、前記換気口本体の下端から平板状に垂下する下部取付部であって、基礎の立上り部の位置に切欠状に開口した換気口用開口部の底面上に固定する下部取付部と、前記上部取付部の前面上部に配したスペーサ及びその前面から垂下した鍔板で構成した上端係止部であって、該鍔板と該上部取付部との間の空間で前記換気口本体の前面を覆う蓋体の上端を係止する上端係止部と、前記下部取付部の前面下部に配したスペーサ及びその前面から立ち上げた係止片で構成した下端係止部であって、該係止片とスペーサと該下部取付部との間の空間で前記換気口本体の前面を覆う蓋体の下端を係止する下端係止部と、前記換気口本体の前面に配する蓋体であって、前記上端係止部と前記下端係止部とでその上下端を着脱自在に配した蓋体とで構成した床下換気口である。
【００１２】
　前記換気口本体は、床下換気のための複数の通気口を開口したものであり、金属或いは樹脂等で構成することができる。該換気口本体は、文字通り、床下換気口を構成する本体であり、該換気口本体の外縁の寸法は、建物の基礎立上り部の換気口用開口部の三辺と土台の下辺とで形成される空間に丁度入るそれである。即ち、横幅は換気口用開口部の横幅と略同じになるように構成し、高さは、前記上部取付部と該換気口本体と前記下部取付部の高さ方向の寸法を加えた場合に、丁度、前記換気口用開口部の底面と前記土台の下面との間の高さ寸法に一致する寸法になるように構成する。
【００１３】
　前記パンチングメタルは、虫類の通過を防止し得ると共に空気の適切な流通を確保することが目的であり、それに適合する適度な口径の多数の孔を備えたものである必要がある。そのような目的を達成できるものであれば、孔の形状等は問わない。
【００１４】
　前記上部取付部は、前記換気口本体の上端から平板状に立ち上げたものであって、前記換気口本体と一体化して製作することができる。または該換気口本体とは別の平板で製作し、前記換気口本体の上端に螺子等により固定することとしても良い。いずれにしても該上部取付部は、建物土台の下部に何らかの手段で位置決めできるように構成することが必要である。
【００１５】
　前記下部取付部は、前記換気口本体の下端から平板状に垂下させたものであって、前記換気口本体と一体化して製作することができる。または前記換気口本体とは別の平板で製作し、該換気口本体の下端に螺子等により固定することとしても良い。該下部取付部は、この床下換気口を換気口用開口部に取り付ける場合に、モルタル等により該換気口用開口部の底面上に固定することとなるものであり、そのため、その高さは、モルタル等により確実に固定できるだけの高さ寸法を有している必要がある。
【００１６】
　前記上端係止部は前記上部取付部の上辺の横幅全体に亘って設ける。既述のように、スペーサと鍔板とから構成し、鍔板と上部取付部の前面との間に下向きの蓋体取り付け溝を生じさせるものである。スペーサは、鍔板と上部取付部の前面との間に蓋体の厚みを越える隙間を確保する役割を担当するものであり、それだけの厚みを必要とする。この取付溝の深さは、蓋体の取り外しのために、下端係止部の係止深さを越える余裕深さを持っている必要がある。即ち、係止している蓋体をその下端が下端係止部から外れるまで持ち上げることができる必要があるわけである。
【００１７】
　該前記スペーサは、以上のように用いられる平板状の部材であり、その材質等は自由である。鍔板の材質等も自由である。もっともこれらはいずれも通常金属で構成するのが容易である。
【００１８】
　前記下端係止部は、前記下部取付部の前面に設けるものであって、スペーサと係止片とで構成する。該下部取付部の前面と前記スペーサと前記係止片とによって、前記蓋体を係止するための取付溝が上向きに構成されるようにする。この取付溝により前記蓋体の下部を係止する。この下端係止部は、一つのそれを、横長に該下部取付部の横幅全体に渡って構成しても良いが、複数の横幅の短いそれを下部取付部に適当な間隔で設けることとしても良い。
【００１９】
　前記スペーサは前記取り付け溝の溝幅を確保し、更に該溝の底面を構成する役割を担当するものであり、蓋体の厚みを越える厚み寸法を備えたものである必要がある。その横方向の寸法は、この下端係止部の横幅寸法に一致するものとする。係止片は、前記鍔板と同様の板状部材で構成するものであり、その横幅はスペーサの横幅と同一にする。また材質については、該スペーサも該係止片も、前記上端係止部のスペーサ及び鍔板と同様である。
【００２０】
　前記蓋体は、必要に応じて、前記換気口本体を被覆し、これを閉じるものであって、その作用を持つものであれば特定のものである必要はない。取外しが容易なように取っ手が設けられているのが好ましい。前記蓋体の高さ寸法は、前記上端係止部の取付溝の底面から前記下端係止部の前記スペーサの上端面までの間隔より短めであって、少なくとも、前記取っ手を掴んで該蓋体をその上端が上端係止部の取付溝の上端に当接するまで持ち上げた場合には、その下端が下端係止部の係止片の上端より上部に上昇してここから外すことができるように設定すべきものである。
【００２１】
　該蓋体は、その上端が該上端係止部に、下端が該下端係止部に係止されることとなるが、以上のようにして、簡単に脱着できることは云うまでもない。なお前記換気口本体の両側部は、後述するように、前記換気口用開口部の両側部にモルタル等により固定されるものであるから、蓋体の横方向の長さは、この両側面の固定代分だけ短めとすべきである。
【００２２】
　従って本考案の１の床下換気口によれば、これを次のようにして設置することができる。　建物の基礎の立上り部の所定の場所に切欠状に形成された換気口用開口部に本考案の床下換気口を設置する。
【００２３】
　該換気口用開口部の上部を区画する土台の下面に換気口用固定部材を配する。この換気口用固定部材を基準に、この床下換気口の上端係止部の前面を当接して設置する。該換気口用固定部材としては適当な寸法の角材を用いる。前記上部取付部の上端は該土台の下面に必ずしも当接する必要はない。
【００２４】
　該床下換気口の横幅は換気口用開口部の横幅より僅かに短寸法に構成してある。前記下部取付部は換気口用開口部の底面上に配置する。該下部取付部はモルタル等でその位置に固定する。同様に、前記床下換気口の両側部もモルタル等で該換気口用開口部の両内側面に固定する。
【００２５】
　該床下換気口の両側部及び下部取付部を換気口溶解後部に固定するモルタル等は、手順としては、該床下換気口をこの位置に配する直前に予めこの位置に配しておき、その後に床下換気口を設置する。背後側のモルタル等は、床下換気口をセットした後ではその位置に配することはできないので、予め配しておくべきものである。前面側のそれはその全部又は一部を後から配することができる。
【００２６】
　両側及び底面のモルタル等は、床下換気口の前面側（入口側）では、いずれも外側に向かって徐々に拡開するような状態に配するべきである。特に底面側を外方に向かって下向き傾斜に配することによって、雨水等が建物の床下内部に侵入しないようにする趣旨である。背面側ではいずれも換気口用開口部の該当する面に平行に配することとすればよい。
【００２７】
　従って本考案の１の床下換気口によれば、建築物の基礎の立上り部の換気口用開口部に簡単に取り付け可能であり、かつ虫等の混入を防ぎ、しかも必要なときに該床下換気口に蓋体を容易に取り付けることができることとなる。
【００２８】
　本考案の２は、本考案の１の床下換気口に於いて、前記換気口本体を縦横に通気口を開口する格子部材で構成したものである。
【００２９】
　前記格子部材は、文字通り格子状をなす板状部材であり、縦横に多数の四辺形の通気口を連設開口したものである。このような格子部材としては、グレーチングと呼ばれ、側溝の開口部の蓋等として用いられている金属部材を採用することができる。
【００３０】
　従って本考案の２の床下換気口によれば、前記換気口本体を以上のような格子部材で構成したので、耐久性のある換気口本体を簡単に形成し得ることとなったものである。
【考案の効果】
【００３１】
　本考案の１の床下換気口によれば、これを建築基礎の立上り部の換気口用開口部に簡単に取り付けることができ、かつ虫等の混入を防ぎ得るものであると共に、必要なときに該換気口本体に蓋体を容易に取り付け、内部への雨水等の侵入を防止し得、更に必要がなくなれば何時でも容易に取り外すことができるものである。
【００３２】
　本考案の２の床下換気口によれば、前記換気口本体を格子部材で構成したので、換気口本体を簡単に形成し得、建物の床下の通気を良くし、かつ建物の床下に虫等が混入することを防ぐことが可能となる。
【考案を実施するための最良の形態】
【００３３】
　この床下換気口は、換気口本体を表裏貫通する複数の通気口を備えた格子部材であるグレーチングで構成し、この背面にパンチングメタルを配し、該換気口本体の上端から平板状に立ち上がる上部取付部を、下端から平板状に垂下する下部取付部を、それぞれ構成し、該上部取付部の前面に構成した下向きの取付溝を備えた上端係止部と該下部取付部の前面に構成した上向きの取付溝を備えた下端係止部とで、前記換気口本体の前面に蓋体を着脱自在に配することとしたものであり、建築物の基礎立上り部の換気口用開口部に簡単に取り付け可能であり、かつ虫等の小生物の侵入を防ぎ、しかも必要なときに容易に蓋体を換気口に被せたり取り外したりすることができるものである。
【実施例１】
【００３４】
　図１〜図３に示すように、この実施例の床下換気口１は、基本的に、換気口本体２と、その背面に配したパンチングメタル２ｅと、上部取付部２ａと、下部取付部２ｂと、上端係止部３と、二つの下端係止部４、４と、蓋体５とで構成したものである。
【００３５】
　前記換気口本体２はグレーチング２ｄにより構成したものである。前記上部取付部２ａと前記下部取付部２ｂとはこのグレーチング２ｄに一体に構成したものである。該換気口本体２はグレーチング、即ち、格子部材であるので当然縦横に多数の方形の通気口が形成されていることとなる。
【００３６】
　前記パンチングメタル２ｅは、先に述べ、かつ特に図２及び図３に示すように、前記換気口本体２の背面に嵌め込み状態に取り付けたものである。このパンチングメタル２ｅは、上下の数カ所で換気口本体２を構成するグレーチング２ｄに溶接接合してある。該パンチングメタル２ｅは、云うまでもなく、全面に多数の穴を平均に打ち抜き形成したものであり、防虫網材として機能する。
【００３７】
　前記上部取付部２ａは、前記換気口本体２の上端から平板状に立ち上げたものであって、先に述べたように、該換気口本体２を構成するグレーチング２ｄと一体化して形成したものである。この上部取付部２ａは、この床下換気口１を換気口用開口部８ａに設置する際に、その上端が建物の土台６の下面に当接状態となるように配すべきものである。
【００３８】
　前記下部取付部２ｂは、前記換気口本体２の下部から平板状に垂下したものであって、先に述べたように、該換気口本体２を構成するグレーチング２ｄと一体化して製作したものである。この下部取付部２ｂは、この床下換気口１を換気口用開口部に設置する際に、該換気口用開口部の底面にモルタル７を介して固定されるように配すべきものである。
【００３９】
　前記上端係止部３は、図１(a)、(b)に示すように、前記上部取付部２ａの上辺全体に亘って設けたものであって、図３に示すように、スペーサ３ａと鍔板３ｂとから構成したものである。前記上部取付部２ａの前面上部に前記スペーサ３ａを配し、その更に前面から前記鍔板３ｂを垂下させ、該鍔板３ｂと該上部取付部２ａの前面との間に前記蓋体５の上端を係止するための取付溝３ｃを下向きに構成する。
【００４０】
　前記スペーサ３ａは、前記上部取付部２ａの上辺全体に亘って前記鍔板３ｂとの間に挟まれるものであり、平板状の部材である。係止する前記蓋体５の厚さより若干厚いものを採用し、高さ方向の幅は上部取付部２ａのそれと略同じとした。材質は金属製とした。また該スペーサ３ａは該上部取付部２ａに溶接によって固定した。
【００４１】
　前記鍔板３ｂは、前記上部取付部２ａの上辺全体に亘って前記スペーサ３ａの前面に垂下状態に固設する。この取付はネジ２ｃにより行う。長さは前記上部取付部２ａの長さと略同じとした。材質は、前記スペーサ３ａと同じものを用いた。該鍔板３ｂの高さ方向の幅は、蓋体５の着脱のために、取付溝３ｃの深さが十分なものになるように設定する。即ち、蓋体５の取り外しのために、これを持ち上げた場合に、該蓋体５の下端が下端係止部４の係止片４ｂの上端以上の位置にまで上昇しうる深さを該取付溝３ｃが持ちうるように、該鍔板３ｂの高さ方向の幅を設定する。
【００４２】
　前記下端係止部４は、前記下部取付部２ｂの前面に設けたものであって、スペーサ４ａと係止片４ｂとから構成したものである。該下部取付部２ｂと該スペーサ４ａと前記係止片４ｂとによって、前記蓋体５の下端を係止するための取付溝４ｃが上向きに構成される。
【００４３】
　前記スペーサ４ａは、前記下部取付部２ｂに取り付けられる平板状の部材であって、その上端に前記蓋体５が載置されるように構成したものである。厚さは係止する該蓋体５の厚さを僅かに越える寸法とした。長さは係止片４ｂと同じであり、図１に示すように、極めて短いものとした。該スペーサ４ａの前記下部取付部２ｂへの固定は溶接によって行った。
【００４４】
　前記係止片４ｂは、前記スペーサ４ａの前面に固定されるものである。長さは短冊状に短くしたものを２枚用い、材質は金属製とした。該係止片４ｂと前記スペーサ４ａと前記下部取付部２ｂの前面とで取付溝４ｃが構成され、前記スペーサ４ａの上端に載置された蓋体５が外れないという作用を持つこととなる。なお前記係止片４ｂの前記スペーサ４ａへの取り付けはネジ２ｃを用いた。１枚の係止片４ｂに対して２個のネジ２ｃを用いた。
【００４５】
　前記蓋体５は、前記換気口本体２を構成するグレーチング２ｄをカバーするものであって、金属板材で構成したものである。その前面には取っ手５ａを設けた。前記蓋体５の高さは、前記上端係止部３の係止溝３ｃの底から前記下端係止部４、４のスペーサ４ａの上端までの間隔より短く構成し、係止状態で、これを最大限度持ち上げた場合に、その下端が下端係止部４、４の係止片４ｂ、４ｂの上端より上方に位置しうるようにした。また前記蓋体５の幅方向の寸法は、この床下換気口１を、前記換気口用開口部８ａにセットする場合に、該換気口本体２の両側部がモルタル７で該換気口用開口部８ａに固定されることとなるため、両側の固定代分だけ短めに構成した。
【００４６】
　この実施例の床下換気口１は、図４及び図５に示すように、建物基礎の立上り部８ｂに切欠状態に開口した換気口用開口部８ａに取り付けるものである。図４中、８は基礎のベース部である。
【００４７】
　前記建物の土台６の下部に換気口用固定部材６ａを固定する。この換気口用固定部材６ａとしては余り目立たない寸法の角材を用いた。この換気口用固定部材６ａを基準にして、床下換気口１の上端係止部３の前面をこの換気口用固定部材６ａに当接させて位置決めすることにする。
【００４８】
　この実施例の床下換気口１を設置する直前に、図４及び図５に示すように、該換気口用開口部８ａの両内側面及び底面の内、前記換気口用固定部材６ａより建物内部側には、該両内側面及び底面の各面に平行に所定厚みで施しておくものとし、続いて、前記のように、床下換気口１を、その上端係止部３の前面を前記換気口用固定部材６ａの背後の面に当接させつつ直立状態に配する。
【００４９】
　このように配すると、該床下換気口１の両側端は概ね該換気口用開口部８ａの両側内面に接した状態になり、背後側両側部は該位置に配したモルタル７に圧接状態となる。また下部取付部２ｂは該換気口用開口部８ａの底面に当接状態となるが、その背後側は該位置に配したモルタル７に圧接状態となる。
【００５０】
　この後、該換気口用開口部８ａの両内側面及び底面の内、該床下換気口１を配した位置より前方側に、図４及び図５に示すように、モルタル７を配し、前方側からも該床下換気口１の両側部及び下部取付部２ｂを囲む状態で支持し、これを固定する。これらのモルタル７は、図５に示すように、該換気口用開口部８ａの両側面では、外方に向かって開口部が広がるように傾斜状に配し、図４に示すように、底面では、外方に向かって下見貴兄者になるように配する。
【００５１】
　前者は主として意匠上の観点から設定したものであり、後者は雨水等が床下に流れ込むことがないようにする趣旨である。
【００５２】
　従ってこの実施例の床下換気口１によれば、建築物の基礎の立上り部８ｂの換気口用開口部８ａに簡単に取り付け可能であり、かつ虫等の混入を防ぎ、しかも必要なときに該床下換気口１に蓋体５を容易に取り付け、または取り外しすることができることとなる。
【図面の簡単な説明】
【００５３】
【図１】(a)は実施例１の床下換気口の蓋体を外した状態の正面図　(b)は実施例１の床下換気口の蓋体を被せた状態の正面図
【図２】実施例１の床下換気口の背面図
【図３】実施例１の床下換気口の側面図
【図４】実施例１の床下換気口を換気口用開口部に取り付けた状態の中央部縦断側面図
【図５】実施例１の床下換気口を換気口用開口部に取り付けた状態の横断面平面図
【符号の説明】
【００５４】
　１　　床下換気口
　２　　換気口本体
　２ａ　上部取付部
　２ｂ　下部取付部
　２ｃ　ネジ
　２ｄ　グレーチング
　２ｅ　パンチングメタル
　３　　上端係止部
　３ａ　スペーサ
　３ｂ　鍔板
　３ｃ　取付溝
　４　　下端係止部
　４ａ　スペーサ
　４ｂ　係止片
　４ｃ　取付溝
　５　　蓋体
　５ａ　取っ手
　６　　土台
　６ａ　換気口用固定部材
　７　　モルタル
　８　　基礎のベース部
　８ａ　換気口用開口部
　８ｂ　建物基礎の立上り部
【図１】
0003099179.tif 000003
【図２】
0003099179.tif 000004
【図３】
0003099179.tif 000005
【図４】
0003099179.tif 000006
【図５】
0003099179.tif 000007